(57)【特許請求の範囲】
【請求項１】
扉により前面が開閉される貯蔵室と、貯蔵物を載置するとともに前記貯蔵室内を上下方向に仕切って複数の区画を形成する載置棚と、前記貯蔵室の背面に沿って左右方向に冷気を吐出する吐出口と、少なくとも一部の前記吐出口よりも上方の区画に臨んで前記貯蔵室内の冷気が流出する第１戻り口と、少なくとも一部の前記吐出口よりも下方の区画に臨んで前記貯蔵室内の冷気が流出する第２戻り口と、第１戻り口を開閉する開閉部とを備えたことを特徴とする冷蔵庫。
【請求項２】
前記載置棚をガラス製にしたことを特徴とする請求項１に記載の冷蔵庫。
【請求項３】
前記貯蔵室の下部に配されるとともに上面を開口して前方から出し入れされる収納ケースを有し、前記載置棚と前記収納ケースとの間に冷気が流通する隙間を形成するとともに第２戻り口を前記収納ケースの後方に設けたことを特徴とする請求項１または請求項２に記載の冷蔵庫。
【発明の詳細な説明】
【技術分野】
【０００１】
本発明は、貯蔵室内に載置棚を備えた冷蔵庫に関する。
【背景技術】
【０００２】
従来の冷蔵庫は特許文献１に開示されている。この冷蔵庫は貯蔵室内に加湿装置を備えている。加湿装置は貯水タンク及び超音波振動子を備え、超音波振動子の駆動によってミストを発生する。貯蔵室は湿度センサによって湿度が監視され、貯蔵室の湿度が低下した際に加湿装置が駆動される。これにより、貯蔵物の乾燥が抑制され、貯蔵物を長期保存することができる。
【先行技術文献】
【特許文献】
【０００３】
【特許文献１】特開２００５−３３７６９４号公報（第５頁−第１１頁、第２図）
【発明の概要】
【発明が解決しようとする課題】
【０００４】
しかしながら、上記従来の冷蔵庫によると、加湿装置を備えるため冷蔵庫のコスト及び消費電力が大きくなるとともに容積効率が低下する問題があった。また、貯蔵室の壁面等に付着したミストに含まれる金属酸化物等のスケール成分によって白色の汚れが発生する。このため、貯蔵室の清掃を頻繁に行う必要があり、冷蔵庫の利便性が悪くなる問題もあった。
【０００５】
また、加湿が不要な貯蔵物を収納する場合や使用者が壁面等へのミストの付着を好まない場合に、加湿装置を停止して貯蔵室内を乾燥状態に切り換えてもよい。この時、加湿装置のスペースが無駄になる問題がある。
【０００６】
本発明は、簡単な構成で貯蔵物の乾燥を抑制するとともに貯蔵室を乾燥状態に切り換えることができ、コスト及び消費電力を削減して利便性及び容積効率を向上できる冷蔵庫を提供することを目的とする。
【課題を解決するための手段】
【０００７】
上記目的を達成するために本発明は、扉により前面が開閉される貯蔵室と、貯蔵物を載置するとともに前記貯蔵室内を上下方向に仕切って複数の区画を形成する載置棚と、前記貯蔵室の背面に沿って左右方向に冷気を吐出する吐出口と、少なくとも一部の前記吐出口よりも上方の区画に開口して前記貯蔵室内の冷気が流出する第１戻り口と、少なくとも一部の前記吐出口よりも下方の区画に開口して前記貯蔵室内の冷気が流出する第２戻り口と、第１戻り口を開閉する開閉部とを備えたことを特徴としている。
【０００８】
この構成によると、扉を開いて載置棚上に貯蔵物が載置され、扉が閉じられる。貯蔵室に流入した外気は貯蔵室内で冷却され、貯蔵室の壁面や載置棚の表面で結露する。吐出口から吐出された冷気は貯蔵室の背面に沿って左右方向に流通し、側面に沿って前方に流通する。この時、開閉部により第１戻り口が閉じられると、冷気は区画内の底面を形成する載置棚の上面に沿って前方に流通する。載置棚の上面に沿って流通する冷気は載置棚の前方を降下して下方の区画に臨む第２戻り口に導かれて貯蔵室から流出する。また、開閉部により第１戻り口が開かれると、一部の冷気は区画内の天井面を形成する載置棚の下面に沿って前方に流通する。載置棚の下面に沿って流通する冷気は載置棚の前方を上昇して上方の区画に臨む第１戻り口に導かれて貯蔵室から流出する。
【０００９】
また本発明は、上記構成の冷蔵庫において、前記載置棚をガラス製にしたことを特徴としている。この構成によると、載置棚の熱容量が大きいため載置棚の表面で結露が発生し易くなる。
【００１０】
また本発明は、上記構成の冷蔵庫において、前記貯蔵室の下部に配されるとともに上面を開口して前方から出し入れされる収納ケースを有し、前記載置棚と前記収納ケースとの間に冷気が流通する隙間を形成するとともに第２戻り口を前記収納ケースの後方に設けたことを特徴としている。この構成によると、貯蔵室の上部を流通して湿った冷気が収納ケースの上方を流通して後方に配された第２戻り口に導かれる。これにより、収納ケース内が高湿に維持される。
【発明の効果】
【００１１】
本発明によると、第１、第２戻り口がそれぞれ吐出口よりも上方の区画及び下方の区画に臨み、第１戻り口には開閉部が設けられる。そして、吐出口から貯蔵室の背面に沿って左右方向に冷気が吐出される。開閉部を閉じると吐出口から吐出された冷気は貯蔵室の背面及び側面に沿って流通し、載置棚の上面を通って前方に導かれる。このため、載置棚の下面の結露が保持され、貯蔵室の乾燥を抑制して長時間湿度の高い状態を維持することができる。また、開閉部を開くと吐出口から吐出された冷気の一部は載置棚の下面に沿って流通し、載置棚の結露が蒸発して貯蔵室が乾燥状態になる。
【００１２】
これにより、簡単な構成で貯蔵物の乾燥を防止するとともに貯蔵室を乾燥状態に切り換えることができる。従って、従来例のような加湿装置を設ける必要がなく、冷蔵庫のコスト及び消費電力を削減して利便性及び容積効率を向上することができる。
【図面の簡単な説明】
【００１３】
【図１】本発明の実施形態の冷蔵庫を示す側面断面図
【図２】本発明の実施形態の冷蔵庫を示す正面断面図
【図３】図２のＡ−Ａ断面図
【図４】本発明の実施形態の冷蔵庫の突出部の詳細を示す側面断面図
【図５】本発明の実施形態の冷蔵庫の吐出通路を通る断面を示す側面断面図
【図６】図２のＢ−Ｂ断面図
【図７】本発明の実施形態の冷蔵庫のルーバーを閉じたときの冷蔵室内の相対湿度の遷移を示す図
【図８】本発明の実施形態の冷蔵庫のルーバーを開いたときの冷蔵室内の相対湿度の遷移を示す図
【発明を実施するための形態】
【００１４】
以下に本発明の実施形態を図面を参照して説明する。図１、図２は一実施形態の冷蔵庫を示す側面断面図及び正面断面図である。冷蔵庫１は断熱箱体３５の上部に冷凍室２が設けられ、冷凍室２の下方には冷蔵室３が設けられる。冷凍室２と冷蔵室３とは断熱材を充填した仕切壁４により仕切られる。冷凍室２の前面は扉２ａにより開閉され、冷蔵室３の前面は扉３ａにより開閉される。
【００１５】
冷凍室２の背面には冷凍室ダクト１０が設けられる。冷凍室ダクト１０の前面側の上部には吐出口１０ａが設けられ、下部には戻り口１０ｂが設けられる。冷凍室ダクト１０内には冷気を生成する冷却器５が配され、冷却器５の上方に送風ファン６が配される。冷却器５の下方には冷却器５の除霜水を回収するドレンパン１１が設けられる。また、冷凍室ダクト１０は送風ファン６の排気側で分岐して冷却器５の右方に配された連通路７を有している。
【００１６】
冷蔵室３の上部にはチルド温度帯等の低温保存が可能な低温ケース１８が配される。低温ケース１８の背面は開口し、後述する吐出口２０ｃから冷気が流入する。低温ケース１８の下方にはガラスにより形成して貯蔵物を載置する複数の載置棚１３、１４が設けられる。載置棚１３は冷蔵室３の両側壁に突設された複数のレール１３ａに橋架され、高さ方向の位置を貯蔵物にあわせて適時変えられるようになっている。
【００１７】
最下段の載置棚１４は断熱箱体３５に固定され、載置棚１４の下方に隔離室から成る野菜室１６を形成する。載置棚１４の上下は載置棚１４の前方に設けられる連通部１４ａで連通する。連通部１４ａにより連通する冷蔵室３及び野菜室１６内は載置棚１３、１４によって上下方向に仕切られ、野菜室１６を含む複数の区画が形成される。
【００１８】
野菜室１６内には上面を開口した収納ケース１５が出し入れ自在に配される。収納ケース１５の上方には載置棚１４との間に冷気が流通する隙間１５ａが設けられる。また、載置棚１４の後端には開口部１４ｂが設けられる。
【００１９】
冷蔵室３の背面には鉛直方向に延びた吐出通路２０及び戻り通路２３が並設される。吐出通路２０は戻り通路２３の左右にそれぞれ配された左通路２１及び右通路２２を有している。左通路２１の左側面及び右通路２２の右側面には吐出口２０ｂがそれぞれ上下に複数設けられる。吐出口２０ｂから冷蔵室３の背面に沿って左右方向に冷気が吐出される。
【００２０】
戻り通路２３の上部前方にはランプ３０が配される。ランプ３０の前面は透明なランプカバー３１で覆われる。載置棚１３がガラスから成るため、ランプ３０の出射光は各載置棚１３を透過する。これにより、冷蔵室３の下部まで照明することができる。また、ランプ３０は後述する金属板２７の上方に配される。このため、ランプ３０の出射光は金属板２７で反射し、冷蔵室３内をより明るくすることができる。
【００２１】
図３は図２のＡ−Ａ断面図を示している。吐出通路２０及び戻り通路２３は複数の通路を有した発泡樹脂成形品の断熱材から成るダクト２６を冷蔵室３の背壁に取り付けて形成される。吐出通路２０と戻り通路２３とはダクト２６に形成されたリブ２６ｄ、２６ｅにより隔離される。これにより、吐出通路２０と戻り通路２３とが一体に形成され、部品点数を削減することができる。
【００２２】
ダクト２６の前面側は樹脂成形品のパネル３３により覆われる。ダクト２６とパネル３３とは夫々に設けた凹部と凸部とが係合して一体となり、冷蔵室３の背面に着脱自在に取り付けられている。パネル３３の前面側はアルミニウムやステンレス等により形成された板状の金属板２７により覆われている。ダクト２６、パネル３３及び金属板２７の側面に設けた開口部によって吐出通路２０の吐出口２０ｂが形成されている。
【００２３】
金属板２７には吐出通路２０及び戻り通路２３を流通する冷気の冷熱がパネル３３及びダクト２６を介して伝えられる。金属板２７に伝えられた冷熱は冷蔵室３内に放出される。この時、吐出通路２０を流通する冷気の温度（約−１２〜−８℃）は戻り通路２３を流通する冷気の温度（約−２〜１℃）よりも低くなっている。しかし、吐出通路２０及び戻り通路２３が並設されるため金属板２７の表面が熱伝導によって一様な温度になる。これにより、金属板２７から放出される冷熱によって冷蔵室３の温度分布を均一にすることができる。
【００２４】
パネル３３の下端には前方に突出する突出部３３ａが設けられている。図４は突出部３３ａの詳細を示す側面断面図である。突出部３３ａの下面前部には下方に突出する凸部３３ｂが設けられる。突出部３３ａは断熱箱体３５の内箱３５ａに形成した段差部３５ｂに後端が係止され、凸部３３ｂが載置棚１４の上面に当接する。これにより、突出部３３ａが安定して支持される。
【００２５】
また、突出部３３ａの後部下面には野菜室１６内の冷気が戻り通路２３に流入する戻り口２３ｂ（第２戻り口）が形成される。戻り口２３ｂは載置棚１４（図１参照）の上側に配され、載置棚１４の後端に形成される開口部１４ｂに面して形成される。これにより、戻り口２３ｂは野菜室１６に臨み、収納ケース１５よりも後方に設けられる。
【００２６】
突出部３３ａは金属板２７よりも前方に延びて金属板２７の下方に形成される。金属板２７の下端は突出部３３ａの上方でパネル３３から前方に延びた支持部３３ｃにより支持される。突出部３３ａの上面には切欠き部３３ｄが形成され、切欠き部３３ｄには受け部材３４が取り付けられる。
【００２７】
受け部材３４は樹脂成形品から成り、上面を開口する。突出部３３ａは金属板２７の下方に配されるため、金属板２７で発生した結露は受け部材３４に流下して貯溜される。受部材３４に貯溜された結露水は蒸発して冷蔵室３内の乾燥を抑制することができる。受け部材３４と切欠き部３３ｄとをシール材等による接着や溶着すると、突出部３３ａ内部への結露水の侵入を防止することができる。
【００２８】
尚、金属板２７の前面に水平方向に延びた凹凸を設け、金属板２７で発生した結露を該凹凸で保持してもよい。これにより、金属板２７表面の凹凸に保持された結露水が蒸発して冷蔵室３内の乾燥を更に抑制することができる。
【００２９】
図５は吐出通路２０を通る断面を示す側面断面図である。また、図６は図２のＢ−Ｂ断面図を示している。吐出通路２０はダンパ１７を介して連通路７に連通する。吐出通路２０はダンパ１７の下方で戻り通路２３の前面側に配された分岐部２０ａを有している。吐出通路２０は分岐部２０ａで左右の左通路２１及び右通路２２（図２参照）に分岐する。
【００３０】
図２において、戻り通路２３は上部で左右に分岐した第１、第２分岐路２４、２５を有している。第１、第２分岐路２４、２５は冷凍室ダクト１０の背面側に配される。冷却器５の下方で冷凍室ダクト１０の背面側に開口した連通口２４ａ、２５ａ（図２参照）を介して冷凍室ダクト１０と第１、第２分岐路２４、２５とが連通する。
【００３１】
また、冷蔵室３の背面の上部には冷気が流出する戻り口４０（第１戻り口）が設けられる。戻り口４０は最上段の載置棚１３（図１参照）よりも上方に配され、冷蔵室３の最上の区画に臨んで配される。戻り口４０にはルーバー４１（開閉部）が設けられる。ルーバー４１は操作部４２の操作によって戻り口４０を開閉する。
【００３２】
ドレンパン１１の排水口１１ａの下方には排水パイプ１２の受け部１２ａが配される。受け部１２ａは第１、第２分岐路２４、２５の前方に配される。排水パイプ１２は受け部１２ａから第１、第２分岐路２４、２５の間を通って後方に延び、戻り通路２３の背後に配されて下方に延びる。ドレンパン１１に溜まる除霜水は排水パイプ１２を介して蒸発皿（不図示）に排水される。従って、戻り通路２３は第１、第２分岐路２４、２５に分岐して流路面積が縮小されず、戻り通路２３と排水パイプ１２の干渉を簡単に防止することができる。
【００３３】
上記構成の冷蔵庫１において、送風ファン６の駆動によって冷凍室ダクト１０を流通する空気は冷却器５と熱交換して冷気が生成される。冷却器５により生成された冷気は吐出口１０ａから矢印Ｅ１（図１参照）に示すように冷凍室２内に吐出される。冷凍室２に吐出された冷気は冷凍室２内を流通して貯蔵物を冷却し、戻り口１０ｂを介して冷却器５に戻る。
【００３４】
また、送風ファン６の排気側で冷気は矢印Ｅ２（図２、図５参照）に示すように分岐し、連通路７を流通する。連通路７を流通する冷気はダンパ１７を介して吐出通路２０に流入し、分岐部２０ａで分岐する。吐出通路２０に流入した冷気の一部は矢印Ｅ３（図１参照）に示すように分岐部２０ａから吐出口２０ｃを介して低温ケース１８内に吐出される。低温ケース１８はダンパ１７を通過した冷気が直ちに供給されるため低温に維持される。低温ケース１８内を流通した冷気は主に低温ケース１８の前面側から流出する。
【００３５】
分岐部２０ａで分岐した冷気は吐出通路２０の左通路２１及び右通路２２を矢印Ｅ４、Ｅ５（図２参照）に示すように流下する。吐出通路２０を流下する冷気は吐出口２０ｂから矢印Ｅ６（図２、図３参照）に示すように冷蔵室３内に吐出される。この時、吐出口２０ｂは左通路２１及び右通路２２の側面に設けられるため、冷蔵室３の背面に沿って左右方向に向けて冷気が吐出される。また、吐出通路２０を流下する冷気の冷熱がダクト２６及びパネル３３を介して金属板２７に伝えられる。
【００３６】
冷蔵室３内に吐出された冷気は冷蔵室３の背面に沿って流通した後、両側面に沿って矢印Ｅ７（図１、図５参照）に示すように前方へ流通する。これにより、冷蔵室３の各区画は両側方から間接冷却される。また、吐出口２０ｂが上下方向に複数設けられるので複数の載置棚１３により仕切られた各区画の貯蔵物を容易に冷却することができる。
【００３７】
この時、戻り口４０がルーバー４１により閉じられた状態では冷気が下方の戻り口２３ｂに導かれるため、区画内の底面を形成する載置棚１３の上面に沿って冷気が流通する。尚、吐出口２０ｂが設けられない区画の貯蔵物は上下の載置棚１３を介して間接的に冷却される。
【００３８】
載置棚１３に沿って流通する冷気は載置棚１３の前方で矢印Ｅ８（図１、図５参照）に示すように降下する。冷蔵室３の前部を降下する冷気は載置棚１４の前方の連通部１４ａを介して野菜室１６内に流入する。野菜室１６に流入した冷気は矢印Ｅ９（図１参照）に示すように収納ケース１５の上方の隙間１５ａを流通する。これにより、収納ケース１５内の野菜等の貯蔵物が冷却される。隙間１５ａを流通する冷気は冷蔵室３の貯蔵物を冷却した後の湿った冷気であるため、収納ケース１５内の野菜の乾燥を抑制することができる。
【００３９】
隙間１５ａを後方に流通した冷気は矢印Ｅ１０（図１参照）に示すように開口部１４ａを介して戻り口２３ｂから戻り通路２３に流入する。戻り通路２３に流入した冷気は矢印Ｅ１１（図１、図２参照）に示すように上昇する。戻り通路２３を上昇する冷気の冷熱はダクト２６及びパネル３３を介して金属板２７に伝えられる。吐出通路２０及び戻り通路２３を流通する冷気及び吐出口２０ｂから吐出された冷気から金属板２７に伝えられた冷熱は、金属板２７全体から冷蔵室３内に放出される。これにより、冷蔵室３内の温度分布が均一化される。
【００４０】
戻り通路２３を上昇する冷気は矢印Ｅ１２、Ｅ１３（図２参照）に示すように第１、第２分岐路２４、２５に分岐する。第１、第２分岐路２４、２５を流通する冷気は連通口２４ａ、２５ａを介して冷凍室ダクト１０に流入し、冷却器５に戻る。
【００４１】
また、ルーバー４１を開いて戻り口４０が開かれると、吐出口２０ｂ、２０ｃから冷蔵室３に吐出された冷気の一部が戻り口４０から流出する。戻り口４０から流出した冷気は第１分岐路２４を通って冷却器５に戻る。この時、吐出口２０ｂから吐出して矢印Ｅ７に示すように前方に流通する冷気の一部は上方の戻り口４０に導かれるため、区画内の天井面を形成する載置棚１３の下面に沿って流通する。
【００４２】
また、冷蔵室３の扉３ａが開かれた際に外気が冷蔵室３及び野菜室１６に流入する。外気に含まれる水分は冷蔵室３及び野菜室１６の壁面や載置棚１３、１４の表面で結露する。この時、吐出口２０ｂから冷蔵室３の背面に沿って左右方向に冷気が吐出されるため、載置棚１３に接触する冷気を少なくすることができる。また、ルーバー４１により戻り口４０を閉じた状態では冷気が載置棚１３の上面に沿って流通する。
【００４３】
このため、載置棚１３の下面に発生した結露の蒸発が抑制される。これにより、載置棚１３の下面の結露が長時間保持されて徐々に蒸発し、冷蔵室３及び野菜室１６内の貯蔵物の乾燥を抑制することができる。
【００４４】
また、ルーバー４１により戻り口４０が開かれると一部の冷気が載置棚１３の下面に沿って流通する。このため、載置棚１３の下面に発生した結露の蒸発が促進される。これにより、加湿が不要な貯蔵物を収納する場合や使用者が載置棚１３や壁面への結露の付着を好まない場合に、戻り口４０を閉じて冷蔵室３を乾燥状態に切り替えることができる。この時、冷蔵室３が乾燥状態であっても冷蔵室３を流通した後の冷気が隙間１５ａを流通するため、収納ケース１５内の野菜等の乾燥が抑制される。
【００４５】
図７はルーバー４１により戻り口４０を閉じた状態の冷蔵室３の相対湿度の推移を示す図である。図８はルーバー４１により戻り口４０を開いた状態の冷蔵室３の相対湿度の推移を示す図である。縦軸は相対湿度（単位:％）を示し、横軸は経過時間（単位:時:分）を示している。尚、冷蔵室３の扉３ａは開いた状態から時間０：００で閉じている。
【００４６】
これらの図によると、戻り口４０を閉じた状態では相対湿度が４０％に到達するまでの時間Ｔ１が１０時間３９分であった。これに対して、戻り口４０を開いた状態では相対湿度が４０％に到達するまでの時間Ｔ２が７時間１０分であった。従って、戻り口４０を閉じることによって冷蔵室３内の貯蔵物の乾燥を抑制することができる。尚、相対湿度が４０％以下になると載置棚１３の表面の結露が視認できない状態まで消滅する。
【００４７】
本実施形態によると、戻り口４０（第１戻り口）が吐出口２０ｂよりも上方の区画に臨んで配され、ルーバー４１（開閉部）により開閉される。また、戻り口２３ｂ（第２戻り口）が吐出口２０ｂよりも下方の区画である野菜室１６に臨んで配される。そして、吐出口２０ｂから冷蔵室３の背面に沿って左右方向に冷気が吐出される。ルーバー４１を閉じると吐出口２０ｂから吐出された冷気は冷蔵室３の背面及び側面に沿って流通し、載置棚１３の上面を通って前方に導かれる。このため、載置棚１３の下面の結露が保持され、冷蔵室３及び野菜室１６の乾燥を抑制して長時間湿度の高い状態を維持することができる。
【００４８】
また、ルーバー４１を開くと吐出口２０ｂから吐出された冷気の一部は載置棚１３の下面に沿って流通し、載置棚１３の結露が蒸発して冷蔵室３が乾燥状態になる。これにより、簡単な構成で貯蔵物の乾燥を抑制するとともに冷蔵室３を乾燥状態に切り換えることができる。従って、従来例のような加湿装置を設ける必要がなく、冷蔵庫１のコスト及び消費電力を削減して利便性及び容積効率を向上することができる。
【００４９】
また、載置棚１３、１４が樹脂よりも熱容量の大きいガラスにより形成されるので、扉３ａを開いた際に冷蔵室３に流入する外気に含まれる水分が結露し易くなる。これにより、冷蔵室３及び野菜室１６内の乾燥を更に抑制することができる。
【００５０】
また、載置棚１４と収納ケース１５との間に隙間１５ａを設け、戻り口２３ｂが収納ケース１５の後方に設けられるので、冷蔵室３を流通して湿った冷気が隙間１５ａを流通する。これにより、戻り口４０が閉じた状態及び開いた状態で収納ケース１５内の乾燥を抑制することができる。
【００５１】
本実施形態において、戻り口４０が臨む区画には吐出口２０ｃが設けられるが、吐出口２０ｂが戻り口４０よりも下方の区画に配される。このため、戻り口４０を開いた際に吐出口２０ｂから吐出された冷気を載置棚１３の下面に沿って流通させることができる。即ち、戻り口４０は少なくとも一部の吐出口２０ｂよりも上方の区画に臨んで設けられていればよい。
【００５２】
また、戻り口２３ｂが臨む区画（野菜室１６）には冷気の吐出口を設けていないが、吐出口を設けてもよい。この時、吐出口２０ｂが戻り口２３ｂが臨む区画よりも上方の区画に配されるため、戻り口４０を閉じた際に吐出口２０ｂから吐出された冷気を載置棚１３の上面に沿って流通させることができる。即ち、戻り口２３ｂは少なくとも一部の吐出口２０ｂよりも下方の区画に臨んで設けられていればよい。
【００５３】
尚、戻り口４０をルーバー４１により開閉しているが、モータ駆動されるダンパにより開閉してもよい。
【産業上の利用可能性】
【００５４】
本発明によると、貯蔵室内に載置棚を備えた冷蔵庫に利用することができる。
【符号の説明】
【００５５】
１    冷蔵庫
２    冷凍室
３    冷蔵室
４    仕切壁
５    冷却器
６    送風ファン
７    連通路
１０    冷凍室ダクト
１１    ドレンパン
１２    排水パイプ
１３、１４  載置棚
１４ｂ  開口部
１５    収納ケース
１６    野菜室
１７    ダンパ
１８    低温ケース
２０    吐出通路
２０ｂ、２０ｃ  吐出口
２１    左通路
２２    右通路
２３  戻り通路
２３ｂ、４０  戻り口
２４    第１分岐路
２５    第２分岐路
２６    ダクト
２７    金属板
３０    ランプ
３１    ランプカバー
３３    パネル
３３ａ  突出部
３４    受け部材
３５    断熱箱体
４１    ルーバー
４２    操作部
【図１】
0005490614.tif 000002
【図２】
0005490614.tif 000003
【図３】
0005490614.tif 000004
【図４】
0005490614.tif 000005
【図５】
0005490614.tif 000006
【図６】
0005490614.tif 000007
【図７】
0005490614.tif 000008
【図８】
0005490614.tif 000009